(57)【要約】【課題】机の上に設置した状態でもディスプレイを見易い角度に設置することが可能なスライド式の小型電子機器を提供する。【解決手段】本発明に係る小型電子機器は、ベース筐体１、スライド筐体２及びポップアップ筐体３を具え、スライド筐体２は、ベース筐体１の表面に沿って閉じ位置と開き位置との間を往復移動することが可能であり、ポップアップ筐体３は、スライド筐体２の表面に近接した閉状態とスライド筐体２の表面に対し所定角度を為して起き上がった開状態との間を回動することが可能であり、表面にディスプレイ31が配備されている。ポップアップ筐体３が開状態から閉状態まで回動することよってポップアップ筐体３が閉状態にロックされる。又、スライド筐体２が閉じ位置から開き位置まで移動することによってロックが解除される。【選択図】図３
2008166952.tif 000002
【特許請求の範囲】
【請求項１】
ベース筐体(１)と、
ベース筐体(１)上にスライド可能に係合して、閉じ位置と開き位置との間を移動することが可能なスライド筐体(２)と、
該スライド筐体(２)上に枢支されて、スライド筐体(２)の表面に近接した状態の閉状態とスライド筐体(２)の表面に対し所定角度を為して起き上がった状態の開状態との間を回動することが可能であり、表面にディスプレイ(31)が配備されたポップアップ筐体(３)と、
前記ポップアップ筐体(３)を閉状態でロックするロック機構と、
スライド筐体(２)が閉じ位置から開き位置まで移動するまでの移動に連動して前記ロック機構によるロックを解除するロック解除機構
とを具えたことを特徴とする小型電子機器。
【請求項２】
ポップアップ筐体(３)を閉状態から開状態へ向けて付勢する付勢手段を具えている請求項１に記載の小型電子機器。
【請求項３】
ポップアップ筐体(３)の表面には、画像撮影のためのカメラ(７)が配備されている請求項１又は請求項２に記載の小型電子機器。
【請求項４】
前記ロック機構は、
スライド筐体(２)に回動可能に配備され、フック部(52)が突設されたラッチ部材(５)と、
ラッチ部材(５)を一方向に回転付勢するバネ(43)と、
ポップアップ筐体(３)に設けられ、ラッチ部材(５)のフック部(52)が係脱すべき係合受け部
とを具え、ラッチ部材(５)が前記バネ(43)により付勢されてフック部(52)がポップアップ筐体(３)の係合受け部に係合する請求項１乃至請求項３の何れかに記載の小型電子機器。
【請求項５】
前記ロック解除機構は、前記ラッチ部材(５)に突設された被駆動部(51)と、ベース筐体(１)の表面に前記ラッチ部材(５)の被駆動部(51)と対向して形成されたカム面(12)とを具え、前記カム面(12)が前記ラッチ部材(５)の被駆動部(51)を前記一方向とは逆方向に駆動して、ラッチ部材(５)のフック部(52)をポップアップ筐体(３)の係合受け部から離脱せしめる請求項４に記載の小型電子機器。
【発明の詳細な説明】
【技術分野】
【０００１】
本発明は、携帯電話機等の小型電子機器に関し、特に、ベース筐体に対してスライド筐体がスライド可能に係合したスライド式の小型電子機器に関するものである。
【背景技術】
【０００２】
従来、ベース筐体に対してスライド筐体がスライド可能に係合したスライド式の携帯電話機が知られている(特許文献１参照)。スライド式携帯電話機においては、スライド筐体がベース筐体の表面に沿って閉じ位置と開き位置との間を往復移動することが可能である。
又、近年の携帯電話機においては、テレビジョン放送受信機能やテレビジョン電話機能を有するものが開発されている(特許文献２、３参照)。
【特許文献１】特開２００６−３１９４１９号公報［H04M1/02］
【特許文献２】特開２００４−１２０２４５号公報［H04N7/14］
【特許文献３】特開２００６−３１９８８９号公報［H04N7/173］
【発明の開示】
【発明が解決しようとする課題】
【０００３】
そこで、スライド式携帯電話機にテレビジョン放送受信機能やテレビジョン電話機能を設けることが考えられる。
しかしながら、スライド式携帯電話機においては、スライド筐体の表面にディスプレイが配備され、該スライド筐体がベース筐体の表面に沿ってスライドする構成が採られているので、例えばテレビジョン放送を視聴する場合、スライド筐体を開き位置までスライドさせたとしても、該スライド筐体の表面に配備されているディスプレイの画面はベース筐体の表面と平行であるため、ユーザはベース筐体を手に保持して、ディスプレイの画面を見易い角度に調整する必要があり、例えば机の上にスライド式携帯電話機を設置した状態ではディスプレイが机の表面と平行となり、画面が見難いものとなる問題がある。
【０００４】
そこで本発明の目的は、机の上に設置した状態でもディスプレイを見易い角度に設置することが可能なスライド式の小型電子機器を提供することである。
【課題を解決するための手段】
【０００５】
本発明に係る小型電子機器は、
ベース筐体(１)と、
ベース筐体(１)上にスライド可能に係合して、ベース筐体(１)の表面に沿って閉じ位置と開き位置との間を往復移動することが可能なスライド筐体(２)と、
該スライド筐体(２)上に枢支されて、スライド筐体(２)の表面に近接した閉状態とスライド筐体(２)の表面に対し所定角度を為して起き上がった開状態との間を回動することが可能であり、表面にディスプレイ(31)が配備されたポップアップ筐体(３)と、
ポップアップ筐体(３)が開状態から閉状態まで回動する過程の最終段階で、ポップアップ筐体(３)の回動に連動してポップアップ筐体(３)を閉状態にロックするロック機構と、
スライド筐体(２)が閉じ位置から開き位置まで移動する過程の任意段階で、スライド筐体(２)の移動に連動して前記ロック機構によるロックを解除するロック解除機構
とを具えている。
具体的には更に、ポップアップ筐体(３)を閉状態から開状態へ向けて付勢する付勢手段を具えている。
【０００６】
上記本発明の小型電子機器によれば、ベース筐体(１)を手に保持した状態でスライド筐体(２)を閉じ位置から開き位置までスライドさせることにより、ロック解除機構が動作し、ロック機構によるポップアップ筐体(３)のロックが解除される。前記付勢手段を具えた構成においては、これによってポップアップ筐体(３)が閉状態から開状態へ向けて付勢され、スライド筐体(２)の表面に対して所定角度を為した開状態まで起き上がる。これに伴って、ポップアップ筐体(３)のディスプレイ(31)もベース筐体(１)の表面に対して所定角度を為した起き上がり姿勢に設置されることになる。
その後、ポップアップ筐体(３)を開状態から閉状態へ向けて押圧操作すると、ロック機構が動作して、ポップアップ筐体(３)は閉状態に達した時点で閉状態にロックされることになる。
又、ポップアップ筐体(３)を開状態に保持したままスライド筐体(２)を開き位置から閉じ位置までスライドさせた後、ポップアップ筐体(３)を閉状態まで押圧してロックすれば、小型電子機器は、元の携帯可能なコンパクトな状態に戻ることになる。
【０００７】
具体的には、ポップアップ筐体(３)の表面には、ディスプレイ(31)と並べて、画像撮影のためのカメラ(７)が配備されている。
該具体的構成によれば、ポップアップ筐体(３)を開状態まで回動させ、ベース筐体(１)を机の上に設置した状態で、テレビジョン電話機能を動作させることにより、ハンズフリーの状態で、カメラ(７)とディスプレイ(31)を利用したテレビジョン電話を行なうことが可能となる。
【０００８】
又、具体的構成において、前記ロック機構は、
スライド筐体(２)に回動可能に配備され、フック部(52)が突設されたラッチ部材(５)と、
ラッチ部材(５)を一方向に回転付勢するバネ(43)と、
ポップアップ筐体(３)に設けられ、ラッチ部材(５)のフック部(52)が係脱すべき係合受け部
とを具え、ポップアップ筐体(３)が開状態から閉状態まで回動する過程で、ラッチ部材(５)が前記バネ(43)により付勢されてフック部(52)がポップアップ筐体(３)の係合受け部に係合する。
【０００９】
又、前記ロック解除機構は、前記ラッチ部材(５)に突設された被駆動部(51)と、ベース筐体(１)の表面に前記ラッチ部材(５)の被駆動部(51)と対向して形成されたカム面(12)とを具え、スライド筐体(２)が閉じ位置から開き位置まで移動する過程で、前記カム面(12)が前記ラッチ部材(５)の被駆動部(51)を前記一方向とは逆方向に駆動して、ラッチ部材(５)のフック部(52)をポップアップ筐体(３)の係合受け部から離脱せしめる。
【発明の効果】
【００１０】
本発明に係る小型電子機器によれば、スライド筐体(２)を開き位置まで移動させる操作により、ポップアップ筐体(３)を開状態まで回動させることが可能となり、これによって、ベース筐体(１)を机の上に設置した状態でもディスプレイ(31)を見易い角度に設置することが出来る。
【発明を実施するための最良の形態】
【００１１】
以下、本発明をスライド式携帯電話機に実施した形態につき、図面に沿って具体的に説明する。
本発明に係るスライド式携帯電話機は、図１〜図４に示す様に、それぞれ扁平な直方体状のベース筐体(１)、スライド筐体(２)及びポップアップ筐体(３)からなる小型のケーシングを具え、ポップアップ筐体(３)の表面には、ディスプレイ(31)とカメラ(７)とが配備されており、通常の通話による電話機能の他に、テレビジョン放送受信機能及びテレビジョン電話機能を有している。
尚、ベース筐体(１)及びスライド筐体(２)の表面にはテンキーや機能キー等の各種操作キーが配備されているが、図示省略している。又、ベース筐体(１)の下端部とポップアップ筐体(３)の上端部にはそれぞれ送話部及び受話部が配備されているが、図示省略している。
【００１２】
スライド筐体(２)は、ベース筐体(１)上にスライド可能に係合して、ベース筐体(１)の表面に沿って図１に示す閉じ位置と図２に示す開き位置との間を往復移動することが可能である。
又、ポップアップ筐体(３)は、スライド筐体(２)上に枢支されて、スライド筐体(２)の表面に近接した図１及び図２に示す閉状態とスライド筐体(２)の表面に対し所定角度を為して起き上がった図３及び図４に示す開状態との間を回動することが可能である。
【００１３】
具体的には、図６に示す如く、スライド筐体(２)の幅方向(左右方向)の両側部には、左右一対の係合部(21)(21)が配備されると共に、ベース筐体(１)の両側部には、前記一対の係合部(21)(21)がスライド可能に係合する左右一対の係合受部(11)(11)が配備され、スライド筐体(２)の往復移動を案内している。又、ポップアップ筐体(３)の基端部は、周知のヒンジ部(６)を介してスライド筐体(２)上に連結され、ポップアップ筐体(３)の回動が可能となっている。
【００１４】
そして、ヒンジ部(６)の両端部にはそれぞれ、図７の如くヒンジ軸上に軸片(40)が外向きに突設され、該軸片(40)にトーションバネ(４)が取り付けられており、図８の如くトーションバネ(４)の一方のアーム部(41)がポップアップ筐体(３)に係止されると共に、他方のアーム部(42)がスライド筐体(２)に係止されている。
これによって、ポップアップ筐体(３)は、図１及び図２に示す閉状態から図３及び図４に示す開状態に向けて回転付勢されている。
【００１５】
図９(ａ)(ｂ)に示す如く、スライド筐体(２)には、表面と裏面の間を貫通する開口部(22)が形成されており、該開口部(22)には、ラッチ部材(５)が配備され、スライド筐体(２)に設けられた枢軸(50)によって回動可能に枢支されている。
ラッチ部材(５)には、被駆動部(51)とフック部(52)が突設され、被駆動部(51)はベース筐体(１)の表面に沿って伸び、フック部(52)は、図５の如くベース筐体(１)の開口部(22)を貫通してポップアップ筐体(３)に向かって突出している。
図９(ｂ)の如く、ラッチ部材(５)の被駆動部(51)とスライド筐体(２)との間にはコイルバネ(43)が介在し、ラッチ部材(５)を反時計方向に回転付勢している。
【００１６】
ベース筐体(１)の表面には、スライド筐体(２)側へ隆起したカム面(12)が形成され、該カム面(12)によってラッチ部材(５)の被駆動部(51)を駆動することが可能となっている。
又、ポップアップ筐体(３)には、スライド筐体(２)との対向面に、ラッチ部材(５)のフック部(52)を収容することが可能な凹部(33)が形成されている。該凹部(33)の開口縁には、ラッチ部材(５)のフック部(52)と係脱可能な爪部(32)が突設されている。
【００１７】
図９(ａ)に示す如く、スライド筐体(２)が閉じ位置に設置され、ポップアップ筐体(３)が閉状態に設置された状態では、図９(ｂ)に示す如く、ラッチ部材(５)は、コイルバネ(43)によって付勢され、フック部(52)がポップアップ筐体(３)の爪部(32)と係合している。ベース筐体(１)のカム面(12)は、ラッチ部材(５)の被駆動部(51)から離間している。
この状態で、ポップアップ筐体(３)は、前記トーションバネ(４)によって開状態へ向けて付勢されているが、スライド筐体(２)上のラッチ部材(５)のフック部(52)がポップアップ筐体(３)の爪部(32)に係合しているので、ポップアップ筐体(３)は閉状態にロックされている。
【００１８】
この状態から、図１０(ａ)の如くスライド筐体(２)を開き位置へ向けて僅かにスライドさせると、図１０(ｂ)の如くラッチ部材(５)の被駆動部(51)にベース筐体(１)のカム面(12)が当接する。
更に図１１(ａ)の如くスライド筐体(２)をスライドさせると、ベース筐体(１)のカム面(12)がラッチ部材(５)の被駆動部(51)をコイルバネ(43)に抗して駆動し、ラッチ部材(５)を時計方向に回転せしめる。これによって、ラッチ部材(５)のフック部(52)がポップアップ筐体(３)の爪部(32)から離脱し、ポップアップ筐体(３)のロックを解除する。
【００１９】
この結果、図１２(ａ)(ｂ)に示す様に、ポップアップ筐体(３)が前記トーションバネ(４)により付勢されて、開状態へ向けて回動する。
そして、更にスライド筐体(２)を開き位置へ向けてスライドさせると、ベース筐体(１)のカム面(12)がラッチ部材(５)の被駆動部(51)を通過し、これによってラッチ部材(５)はコイルバネ(43)の付勢により反時計方向に回転し、図１０(ｂ)に示す元の位置まで戻ることになる。
【００２０】
この結果、図３に示す様に、スライド筐体(２)が開き位置に到達すると共に、ポップアップ筐体(３)が開状態まで起き上がる。この様にポップアップ筐体(３)が回動する過程で、該ポップアップ筐体(３)の基端部がスライド筐体(２)と干渉することのない様、スライド筐体(２)には、図１５(ａ)(ｂ)に示す様に、ポップアップ筐体(３)の基端部と対向する左右両端部にそれぞれ、円弧面からなる逃げ面(25)が形成されている。
【００２１】
又、図１４(ａ)(ｂ)に示す様に、ポップアップ筐体(３)の基端部には、左右両端部に挟まれた中央部に、スライド筐体(２)へ向けて突出する凸部(34)が形成されている。
一方、スライド筐体(２)には、ポップアップ筐体(３)の回転に伴う凸部(34)の回動を許容するための凹曲面(23)が形成されると共に、ポップアップ筐体(３)が開状態まで回転した時点で、凸部(34)を受け止めるべき受け面(24)が形成されている。
従って、前記トーションバネ(４)に付勢されてポップアップ筐体(３)は開状態へ向けて回転するが、凸部(34)がスライド筐体(２)の受け面(24)に当接した時点で、回転が停止し、図３に示す様に開状態に保持されることになる。
【００２２】
テレビジョン放送受信機能又はテレビジョン電話機能を動作させる際には、図３に示す状態のままベース筐体(１)を机の上に設置する。これによって、ポップアップ筐体(３)は、机の表面に対して所定角度を為す開状態(起き上がり姿勢)に保持され、ディスプレイ(31)及びカメラ(７)は、ユーザの方向を向くことになる。従って、ディスプレイ(31)の画面は見易いものとなると共に、カメラ(７)によってユーザの顔の撮影が可能となる。
例えばテレビジョン放送受信機能を動作させてテレビジョン放送を視聴する場合、ベース筐体(１)の表面に配備されているテンキー(図示省略)を操作することによって選局が可能である。
【００２３】
図３に示す如くポップアップ筐体(３)を開状態に保持したままスライド筐体(２)を閉じ位置へ向けてスライドさせて、図４に示す如くスライド筐体(２)を閉じ位置に設置し、この状態でテレビジョン放送受信機能やテレビジョン電話機能を動作させることも可能である。
【００２４】
図３又は図４に示す状態から、ポップアップ筐体(３)を図１３(ａ)に示す閉状態へ向けて押圧すれば、図１３(ｂ)に示す如く、ポップアップ筐体(３)の爪部(32)がラッチ部材(５)のフック部(52)の頭部を押圧し、そのカム作用によってラッチ部材(５)をコイルバネ(43)に抗して時計方向に回転させる。この結果、ポップアップ筐体(３)の爪部(32)がラッチ部材(５)のフック部(52)の頭部を乗り越え、これと同時にラッチ部材(５)がコイルバネ(43)に付勢されて反時計方向に回転することにより、図９(ｂ)に示す爪部(32)とフック部(52)との係合状態に移行する。
これによって、ポップアップ筐体(３)は図１或いは図２に示す閉状態にロックされることになる。
【００２５】
テレビジョン放送の視聴後、若しくはテレビジョン電話の終了後、図４に示す状態からポップアップ筐体(３)を閉状態へ向けて押圧し、閉状態にロックすることにより、スライド式携帯電話機は図１に示す如く携帯可能なコンパクトな状態に戻る。
【００２６】
上述の如く本発明に係るスライド式携帯電話機によれば、スライド筐体(２)を閉じ位置から開き位置までスライドさせる操作により、ポップアップ筐体(３)を開状態まで自動的に回動させることが可能であり、これによって、ベース筐体(１)を机の上に設置した状態でもディスプレイ(31)は見易い角度に設置されると共に、カメラ(７)によるユーザの撮影が可能となる。
又、図１に示す如くスライド筐体(２)を閉じ位置に設置した状態では、図９(ｂ)に示す様にラッチ部材(５)はベース筐体(１)とポップアップ筐体(３)の間に挟まれて、外部に露出することがないので、携帯中にラッチ部材(５)が押圧されてポップアップ筐体(３)のロックが勝手に解除される虞はない。
【００２７】
尚、本発明の各部構成は上記実施の形態に限らず、特許請求の範囲に記載の技術的範囲内で種々の変形が可能である。例えば、スライド筐体(２)を閉じ位置から開き位置までスライドさせる操作を行なってもポップアップ筐体(３)を閉状態に拘持するためのロック機構を設け、必要に応じてロック機構のロックを解除することが可能な構成を採用することも可能である。
又、ポップアップ筐体(３)の回動に連動してポップアップ筐体(３)を閉状態にロックするロック機構や、スライド筐体(２)の移動に連動してロック機構によるロックを解除するロック解除機構は、上記実施例の構成に限らず、周知の種々の構成を採用することが出来る。
【図面の簡単な説明】
【００２８】
【図１】本発明に係るスライド式携帯電話機の携帯時の状態を示す斜視図である。
【図２】ポップアップ筐体を閉状態に保持した状態でスライド筐体を開き位置までスライドさせた状態を示す斜視図である。
【図３】ポップアップ筐体が開状態まで回動した状態を示す斜視図である。
【図４】図３に示す状態からスライド筐体を閉じ位置までスライドさせた状態を示す斜視図である。
【図５】スライド筐体から突出するラッチ部材の拡大斜視図である。
【図６】本発明に係るスライド式携帯電話機のケーシングを透視した斜視図である。
【図７】同上の平面図である。
【図８】図７のＡ部を拡大した図である。
【図９】携帯時の状態における断面を示す斜視図とＢ部の拡大図である。
【図１０】スライド筐体を僅かにスライドさせた状態における断面を示す斜視図とＢ部の拡大図である。
【図１１】スライド筐体を更にスライドさせた状態における断面を示す斜視図とＢ部の拡大図である。
【図１２】ポップアップ筐体が起き上がる過程における断面を示す斜視図とＢ部の拡大図である。
【図１３】ポップアップ筐体を閉状態まで押圧した状態における断面を示す斜視図とＢ部の拡大図である。
【図１４】ポップアップ筐体の回転を許容すると共にポップアップ筐体を開状態にて受け止めるための構造を示す断面図である。
【図１５】スライド筐体とポップアップ筐体の干渉を回避するための構造を示す側面図である。
【符号の説明】
【００２９】
(１)  ベース筐体
(12)  カム面
(２)  スライド筐体
(24)  受け面
(25)  逃げ面
(３)  ポップアップ筐体
(31)  ディスプレイ
(32)  爪部
(４)  トーションバネ
(43)  コイルバネ
(５)  ラッチ部材
(51)  被駆動部
(52)  フック部
(６)  ヒンジ部
(７)  カメラ
【図１】
2008166952.tif 000003
【図２】
2008166952.tif 000004
【図３】
2008166952.tif 000005
【図４】
2008166952.tif 000006
【図５】
2008166952.tif 000007
【図６】
2008166952.tif 000008
【図７】
2008166952.tif 000009
【図８】
2008166952.tif 000010
【図９】
2008166952.tif 000011
【図１０】
2008166952.tif 000012
【図１１】
2008166952.tif 000013
【図１２】
2008166952.tif 000014
【図１３】
2008166952.tif 000015
【図１４】
2008166952.tif 000016
【図１５】
2008166952.tif 000017